(57)【要約】入力部（１２０）が物体の接触または接近を検知し、入力部（１２０）における検知の結果に基づいて、モード設定部（１３０）が情報処理装置（１００）の動作モードを、第１の動作モードと第２の動作モードとのいずれか一方に設定し、制御部（１４０）が、モード設定部（１３０）が設定した動作モードに応じた制御を行う。
2013094624.tif 000002
【特許請求の範囲】
【請求項１】
情報処理装置であって、
物体の接触または接近を検知する入力部と、
前記入力部における検知の結果に基づいて、当該情報処理装置の動作モードを、第１の動作モードと第２の動作モードとのいずれか一方に設定するモード設定部と、
前記モード設定部が設定した動作モードに応じた制御を行う制御部とを有する情報処理装置。
【請求項２】
請求項１に記載の情報処理装置において、
前記制御部は、前記モード設定部が前記動作モードを前記第２の動作モードに設定している場合、前記第１の動作モードに設定しているときに前記入力部が同時に複数の接触または接近を検知することにより行う制御を無効にすることを特徴とする情報処理装置。
【請求項３】
請求項１に記載の情報処理装置において、
前記制御部は、前記モード設定部が前記動作モードを前記第２の動作モードに設定している場合、前記入力部が接触または接近を所定の時間以上検知した場合、それに応じた制御を行うことを特徴とする情報処理装置。
【請求項４】
請求項１に記載の情報処理装置において、
前記制御部は、前記モード設定部が前記動作モードを前記第２の動作モードに設定している場合、前記入力部が接触または接近を所定の時間以上検知した後に、該接触または該接近の位置が所定の距離以上移動した場合、それに応じた制御を行うことを特徴とする情報処理装置。
【請求項５】
請求項１に記載の情報処理装置において、
表示部をさらに有し、
前記制御部は、前記モード設定部が設定している動作モードに応じた操作画面を前記表示部に表示させることを特徴とする情報処理装置。
【請求項６】
請求項１に記載の情報処理装置において、
前記制御部は、データの編集機能および表示機能を具備するデータ機能を有し、前記モード設定部が前記動作モードを前記第２の動作モードに設定している場合、前記データ機能を起動すると、前記データの表示機能を実行することを特徴とする情報処理装置。
【請求項７】
請求項１から６のいずれか１項に記載の情報処理装置において、
前記第１の動作モードおよび前記第２の動作モードと、それぞれの動作モードが設定された場合の制御内容とを対応付けて記憶するテーブルを有し、
前記制御部は、前記モード設定部が設定した動作モードと対応付けられている制御内容を前記テーブルから読み出し、該読み出した制御内容に基づいて制御を行うことを特徴とする情報処理装置。
【請求項８】
情報処理装置が行う情報処理方法であって、
物体の接触または接近を検知する処理と、
前記検知の結果に基づいて、当該情報処理装置の動作モードを、第１の動作モードと第２の動作モードとのいずれか一方に設定する処理と、
前記設定した動作モードに応じて、当該情報処理装置を制御する処理とを行う情報処理方法。
【請求項９】
情報処理装置に、
物体の接触または接近を検知する手順と、
前記検知の結果に基づいて、当該情報処理装置の動作モードを、第１の動作モードと第２の動作モードとのいずれか一方に設定する手順と、
前記設定した動作モードに応じた制御を行う手順とを実行させるためのプログラム。
【発明の詳細な説明】
【技術分野】
【０００１】
本発明は、情報を処理する情報処理装置、情報処理方法およびプログラムに関する。
【背景技術】
【０００２】
近年、携帯端末に代表されるような、タッチパネル機能を具備したディスプレイが搭載された情報処理装置が、市場に多く出回っている。【０００３】
さらに、タッチパネルに接触した手が素手である場合と、手袋を装着している場合とで、タッチセンサの感度を変化させる技術が考えられている（例えば、特許文献１参照。）。
【先行技術文献】
【特許文献】
【０００４】
【特許文献１】特開２００８−０３３７０１号公報
【発明の概要】
【発明が解決しようとする課題】
【０００５】
ここで、タッチパネルに接触した手が素手である場合と、手袋を装着した場合とでは、タッチパネルを操作する精度に差が出てくる。例えば、素手である場合は、細かなタッチ操作が可能である。一方、手袋を装着している場合は、細かなタッチ操作が困難となるという問題点がある。【０００６】
特許文献１に記載された技術は、センサの感度を変化させるだけのものであり、手袋を装着した場合にその操作を容易にさせるものではない。【０００７】
本発明の目的は、上述した課題を解決する情報処理装置、情報処理方法およびプログラムを提供することである。
【課題を解決するための手段】
【０００８】
本発明の情報処理装置は、
情報処理装置であって、
物体の接触または接近を検知する入力部と、
前記入力部における検知の結果に基づいて、当該情報処理装置の動作モードを、第１の動作モードと第２の動作モードとのいずれか一方に設定するモード設定部と、
前記モード設定部が設定した動作モードに応じた制御を行う制御部とを有する。【０００９】
また、本発明の情報処理方法は、
情報処理装置が行う情報処理方法であって、
物体の接触または接近を検知する処理と、
前記検知の結果に基づいて、当該情報処理装置の動作モードを、第１の動作モードと第２の動作モードとのいずれか一方に設定する処理と、
前記設定した動作モードに応じて、当該情報処理装置を制御する処理とを行う。【００１０】
また、本発明のプログラムは、
情報処理装置に実行させるためのプログラムであって、
物体の接触または接近を検知する手順と、
前記検知の結果に基づいて、当該情報処理装置の動作モードを、第１の動作モードと第２の動作モードとのいずれか一方に設定する手順と、
前記設定した動作モードに応じた制御を行う手順とを実行させる。
【発明の効果】
【００１１】
以上説明したように、本発明においては、タッチパネルに接触した手が手袋を装着している場合であっても、情報の正確な入力を容易に行うことができる。
【図面の簡単な説明】
【００１２】
【図１】本発明の情報処理装置の実施の一形態を示す図である。
【図２】図１に示したテーブルに記憶されている、動作モードと制御内容との対応付けの一例を示す図である。
【図３】図１に示した情報処理装置における情報処理方法を説明するためのフローチャートである。
【図４】通常モードが設定された状態で表示部に表示されたメニュー画面の一例を示す図である。
【図５】グローブモードが設定された状態で表示部に表示されたメニュー画面の一例を示す図である。
【図６】図１に示した情報処理装置における制御部の詳細な構成の一例を示す図である。
【図７】図６に示した制御部がデータ機能を起動した場合の処理を説明するためのフローチャートである。
【発明を実施するための形態】
【００１３】
以下に、本発明の実施の形態について図面を参照して説明する。
【００１４】
図１は、本発明の情報処理装置の実施の一形態を示す図である。
【００１５】
本形態における情報処理装置１００には図１に示すように、表示部１１０と、入力部１２０と、モード設定部１３０と、制御部１４０と、テーブル１５０とが設けられている。
【００１６】
表示部１１０は、制御部１４０の指示に基づいて、情報を表示する一般的なディスプレイである。また、表示部１１０は、入力部１２０の検知機能を備えたタッチパネルであっても良い。
【００１７】
入力部１２０は、タッチパネルのように、物体の接触や接近に応じて情報を入力する。
【００１８】
また、入力部１２０は、表示部１１０の表示面への物体（利用者の指等）の接触または接近を検知する機能を具備する。例えば、入力部１２０は、物体の接触を検知するものである場合、接触センサを具備するものであっても良い。また、入力部１２０は、物体の接近を検知するものである場合は、近接センサを具備するものであっても良い。また、入力部１２０は、物体が接触または接近することで、物体と表示面との間の静電容量の変化に応じて、接触または接近を検知する。
【００１９】
また、入力部１２０は、物体が接触または接近したとき、その物体の抵抗値を測定し、その測定結果である抵抗値をモード設定部１３０へ出力する。なお、入力部１２０は、抵抗値の代わりに、電流値等の他の電気的特性を測定し、測定結果として、測定した数値をモード設定部１３０へ出力するものであっても良い。
【００２０】
モード設定部１３０は、入力部１２０から出力されてきた抵抗値（電流値）に基づいて、情報処理装置１００の動作モードを、通常モード（第１の動作モード）とグローブモード（第２の動作モード）とのいずれか一方に設定する。
【００２１】
例えば、モード設定部１３０は、入力部１２０から出力されてきた抵抗値が、あらかじめ設定された閾値以下である場合、動作モードを通常モードに設定する。また、モード設定部１３０は、入力部１２０から出力されてきた抵抗値が、あらかじめ設定された閾値よりも高い場合は、動作モードをグローブモードに設定する。入力部１２０から出力されてきた測定結果が、他の電気的特性を示す数値である場合も、モード設定部１３０は、同様に閾値との比較に基づいて、動作モードを設定する。
【００２２】
また、モード設定部１３０は、外部からの所定の入力に基づいて、情報処理装置１００の動作モードを、通常モードとグローブモードとのいずれか一方に設定するものであっても良い。この所定の入力とは、表示部１１０に表示されたメニューから利用者が選択するものであっても良いし、情報処理装置１００に設けられた所定のボタンキーの押下によるものであっても良く、ここでは特に規定しない。
【００２３】
制御部１４０は、モード設定部１３０が設定した動作モードに応じた制御を行う。なお、通常モードが設定されている場合の制御内容、およびグローブモードが設定されている場合の制御内容は、テーブル１５０にあらかじめ記憶されている。したがって、制御部１４０は、モード設定部１３０が設定した動作モードと対応付けられている制御内容をテーブル１５０から読み出し、読み出した制御内容に基づいて制御を行う。
【００２４】
図２は、図１に示したテーブル１５０に記憶されている、動作モードと制御内容との対応付けの一例を示す図である。
【００２５】
図１に示したテーブル１５０には図２に示すように、各動作モード（通常モードとグローブモード）に対応する制御内容が記憶されている。
【００２６】
例えば、図２に示すように、制御項目「シングルタッチ」に関して、動作モード「通常モード」と制御内容「選択／確定」とが対応付けられ、動作モード「グローブモード」と制御内容「拡大／縮小」とが対応付けられている。これは、動作モードが通常モードに設定されている場合、シングルタッチに対する制御部１４０の制御は、選択または確定であることを示している。また、動作モードがグローブモードに設定されている場合、シングルタッチに対する制御部１４０の制御は、拡大または縮小であることを示している。なお、この「タッチ」は、物体の接触または接近を入力部１２０が検知したことを示す（以下の説明にて同じ）。つまり、動作モードが通常モードに設定されている場合に、表示部１１０への物体の接近または近接を入力部１２０が検知すると、その接近または近接を検知した表示部１１０上の位置を入力部１２０が制御部１４０へ通知し、制御部１４０は、その位置に表示されている情報（例えば、アイコン）の選択／確定の処理を行う。一方、動作モードがグローブモードに設定されている場合に、表示部１１０への物体の接近または近接を入力部１２０が検知すると、その接近または近接を検知した表示部１１０上の位置を入力部１２０が制御部１４０へ通知し、制御部１４０は、その位置に表示されている情報（例えば、アイコン）の拡大／縮小の処理を行う。
【００２７】
また、制御項目「マルチタッチ」に関して、動作モード「通常モード」と制御内容「有効」とが対応付けられ、動作モード「グローブモード」と制御内容「制御なし」とが対応付けられている。これは、動作モードが通常モードに設定されている場合、マルチタッチ（同時の複数のタッチ）に対する制御部１４０の制御は、有効であることを示している。また、動作モードがグローブモードに設定されている場合、シングルタッチに対する制御部１４０の制御は、制御なしであることを示している。つまり、マルチタッチに関しては、通常モード時は、あらかじめ設定された制御が行われるが、グローブモード時は、何も制御が行われない（通常モード時に行われる制御を無効とする）。
【００２８】
また、制御項目「長時間タッチ」に関して、動作モード「通常モード」と制御内容「制御なし」とが対応付けられ、動作モード「グローブモード」と制御内容「選択／確定」とが対応付けられている。これは、動作モードが通常モードに設定されている場合、あらかじめ設定された時間以上の長時間タッチに対する制御部１４０の制御は、制御なしであることを示している。また、動作モードがグローブモードに設定されている場合、長時間タッチに対する制御部１４０の制御は、選択または確定であることを示している。つまり、長時間タッチに関しては、グローブモード時は、あらかじめ設定された制御が行われるが、通常モード時は、何も制御が行われない（グローブモード時に行われる制御を無効とする）。つまり、動作モードが通常モードに設定されている場合に、表示部１１０への物体の長時間の接近または近接を入力部１２０が検知すると、その接近または近接を検知した表示部１１０上の位置を入力部１２０が制御部１４０へ通知し、制御部１４０は、その位置に表示されている情報（例えば、アイコン）の選択／確定の処理を行う。
【００２９】
また、制御項目「長時間タッチ＋移動」に関して、動作モード「通常モード」と制御内容「移動」とが対応付けられ、動作モード「グローブモード」と制御内容「選択／確定」とが対応付けられている。これは、動作モードが通常モードに設定されている場合、あらかじめ設定された時間以上の長時間タッチ後に、そのタッチの位置があらかじめ設定された距離以上移動したときに対する制御部１４０の制御は、移動であることを示している。また、動作モードがグローブモードに設定されている場合、長時間タッチ後に、そのタッチの位置があらかじめ設定された距離以上移動したときに対する制御部１４０の制御は、選択または確定であることを示している。つまり、動作モードが通常モードに設定されている場合に、表示部１１０への物体の長時間の接近または近接および移動を入力部１２０が検知すると、その接近または近接を検知した表示部１１０上の位置を入力部１２０が制御部１４０へ通知し、制御部１４０は、その位置に表示されている情報（例えば、アイコン）の移動の処理を行う。一方、動作モードがグローブモードに設定されている場合に、表示部１１０への物体の長時間の接近または近接および移動を入力部１２０が検知すると、その接近または近接を検知した表示部１１０上の位置を入力部１２０が制御部１４０へ通知し、制御部１４０は、その位置に表示されている情報（例えば、アイコン）の選択／確定の処理を行う。
【００３０】
また、制御項目「表示サイズ」に関して、動作モード「通常モード」と制御内容「中」とが対応付けられ、動作モード「グローブモード」と制御内容「大」とが対応付けられている。これは、動作モードが通常モードに設定されている場合、制御部１４０が表示部１１０に表示させるアイコンやメニューの大きさは中程度であることを示している。また、動作モードがグローブモードに設定されている場合、制御部１４０が表示部１１０に表示させるアイコンやメニューの大きさは大きなものであることを示している。ここで、「中」および「大」は、説明の便宜上の表現であり、どの程度が「中」であり、どの程度が「大」であるかについては、特に限定せず、動作モードがグローブモードに設定されている場合に制御部１４０が表示部１１０に表示させるアイコンやメニューの大きさが、動作モードが通常モードに設定されている場合に制御部１４０が表示部１１０に表示させるアイコンやメニューの大きさよりも大きいことを示しているものであれば良い。
【００３１】
なお、表示中に動作モードが変化する場合、その変化と連携して表示サイズが変化する。例えば、動作モードが通常モードに設定されている状態で、モード設定部１３０が動作モードをグローブモードへ変更した場合、モード設定部１３０はその旨を制御部１４０へ通知し、制御部１４０がテーブル１５０からグローブモード時の表示サイズを読み出し、現在表示されている表示サイズよりも大きな表示サイズで表示部１１０に表示させる。一方、動作モードがグローブモードに設定されている状態で、モード設定部１３０が動作モードを通常モードへ変更した場合、モード設定部１３０はその旨を制御部１４０へ通知し、制御部１４０がテーブル１５０から通常モード時の表示サイズを読み出し、現在表示されている表示サイズよりも小さな表示サイズで表示部１１０に表示させる。
【００３２】
また、制御項目「表示アイコンの数」に関して、動作モード「通常モード」と制御内容「中」とが対応付けられ、動作モード「グローブモード」と制御内容「少」とが対応付けられている。これは、動作モードが通常モードに設定されている場合、制御部１４０が表示部１１０に表示させるアイコンの数は中程度であることを示している。また、動作モードがグローブモードに設定されている場合、制御部１４０が表示部１１０に表示させるアイコンの数は少ないものであることを示している。ここで、「中」および「少」は、説明の便宜上の表現であり、どの程度が「中」であり、どの程度が「少」であるかについては、特に限定せず、動作モードがグローブモードに設定されている場合に制御部１４０が表示部１１０に表示させるアイコンの数が、動作モードが通常モードに設定されている場合に制御部１４０が表示部１１０に表示させるアイコンの数よりも少ないことを示しているものであれば良い。
【００３３】
なお、表示中に動作モードが変化する場合、その変化と連携して表示アイコンの数が変化する。例えば、動作モードが通常モードに設定されている状態で、モード設定部１３０が動作モードをグローブモードへ変更した場合、モード設定部１３０はその旨を制御部１４０へ通知し、制御部１４０がテーブル１５０からグローブモード時の表示アイコンの数を読み出し、現在表示されているアイコンの数よりも少ない数のアイコンを表示部１１０に表示させる。一方、動作モードがグローブモードに設定されている状態で、モード設定部１３０が動作モードを通常モードへ変更した場合、モード設定部１３０はその旨を制御部１４０へ通知し、制御部１４０がテーブル１５０から通常モード時の表示アイコンの数を読み出し、現在表示されているアイコンの数よりも多い数のアイコンを表示部１１０に表示させる。
【００３４】
また、制御項目「輝度」に関して、動作モード「通常モード」と制御内容「中」とが対応付けられ、動作モード「グローブモード」と制御内容「明」とが対応付けられている。これは、動作モードが通常モードに設定されている場合、表示部１１０の表示の明るさを制御部１４０が中程度に制御することを示している。また、動作モードがグローブモードに設定されている場合、表示部１１０の表示の明るさを制御部１４０が明るいものに制御することを示している。ここで、「中」および「明」は、説明の便宜上の表現であり、どの程度が「中」であり、どの程度が「明」であるかについては、特に限定せず、動作モードがグローブモードに設定されている場合の表示部１１０の表示の明るさが、動作モードが通常モードに設定されている場合の表示部１１０の表示の明るさよりも明るいことを示しているものであれば良い。
【００３５】
なお、表示中に動作モードが変化する場合、その変化と連携して輝度が変化する。例えば、動作モードが通常モードに設定されている状態で、モード設定部１３０が動作モードをグローブモードへ変更した場合、モード設定部１３０はその旨を制御部１４０へ通知し、制御部１４０がテーブル１５０からグローブモード時の輝度を読み出し、表示部１１０の明るさを現在の明るさよりも明るい表示へ制御する。一方、動作モードがグローブモードに設定されている状態で、モード設定部１３０が動作モードを通常モードへ変更した場合、モード設定部１３０はその旨を制御部１４０へ通知し、制御部１４０がテーブル１５０から通常モード時の輝度を読み出し、表示部１１０の明るさを現在の明るさよりも暗い表示へ制御する。
【００３６】
また、制御項目「着信音量」に関して、動作モード「通常モード」と制御内容「中」とが対応付けられ、動作モード「グローブモード」と制御内容「大」とが対応付けられている。これは、動作モードが通常モードに設定されている場合、制御部１４０が着信音量を中程度に制御することを示している。また、動作モードがグローブモードに設定されている場合、制御部１４０が着信音量を大きな音量に制御することを示している。ここで、「中」および「大」は、説明の便宜上の表現であり、どの程度が「中」であり、どの程度が「大」であるかについては、特に限定せず、動作モードがグローブモードに設定されている場合に制御部１４０が制御する着信音量の大きさが、動作モードが通常モードに設定されている場合に制御部１４０が制御する着信音量の大きさよりも大きいことを示しているものであれば良い。
【００３７】
なお、表示中に動作モードが変化する場合、その変化と連携して着信音量が変化する。例えば、動作モードが通常モードに設定されている状態で、モード設定部１３０が動作モードをグローブモードへ変更した場合、モード設定部１３０はその旨を制御部１４０へ通知し、制御部１４０がテーブル１５０からグローブモード時の着信音量を読み出し、着信音量を現在の音量よりも大きな音量に制御する。一方、動作モードがグローブモードに設定されている状態で、モード設定部１３０が動作モードを通常モードへ変更した場合、モード設定部１３０はその旨を制御部１４０へ通知し、制御部１４０がテーブル１５０から通常モード時の着信音量を読み出し、着信音量を現在の音量よりも小さな音量に制御する。
【００３８】
また、制御項目「バイブレータの強度」に関して、動作モード「通常モード」と制御内容「中」とが対応付けられ、動作モード「グローブモード」と制御内容「強」とが対応付けられている。これは、動作モードが通常モードに設定されている場合、制御部１４０がバイブレータの強度を中程度に制御することを示している。また、動作モードがグローブモードに設定されている場合、制御部１４０がバイブレータの強度を強いものに制御することを示している。ここで、「中」および「強」は、説明の便宜上の表現であり、どの程度が「中」であり、どの程度が「強」であるかについては、特に限定せず、動作モードがグローブモードに設定されている場合に制御部１４０が制御するバイブレータの強度が、動作モードが通常モードに設定されている場合に制御部１４０が制御するバイブレータの強度よりも強いことを示しているものであれば良い。なお、ここでは、触覚情報の提示手段としてバイブレータを例に挙げたが、バイブレータに限らず、他のハプティクスＵＩ（Ｕｓｅｒ  Ｉｎｔｅｒｆａｃｅ）等の触覚情報の提示手段を用いるものであっても良い。
【００３９】
なお、表示中に動作モードが変化する場合、その変化と連携してバイブレータの強度が変化する。例えば、動作モードが通常モードに設定されている状態で、モード設定部１３０が動作モードをグローブモードへ変更した場合、モード設定部１３０はその旨を制御部１４０へ通知し、制御部１４０がテーブル１５０からグローブモード時のバイブレータの強度を読み出し、バイブレータの強度を現在の強度よりも強いものに制御する。一方、動作モードがグローブモードに設定されている状態で、モード設定部１３０が動作モードを通常モードへ変更した場合、モード設定部１３０はその旨を制御部１４０へ通知し、制御部１４０がテーブル１５０から通常モード時のバイブレータの強度を読み出し、バイブレータの強度を現在の強度よりも弱いものに制御する。
【００４０】
また、制御項目「情報の入力方法」に関して、動作モード「通常モード」と制御内容「タッチ入力」とが対応付けられ、動作モード「グローブモード」と制御内容「音声入力」とが対応付けられている。これは、動作モードが通常モードに設定されている場合、制御部１４０が情報の入力方法をタッチ入力で制御することを示している。また、動作モードがグローブモードに設定されている場合、制御部１４０が情報の入力方法を音声入力で制御することを示している。
【００４１】
また、制御項目「表示遷移」に関して、動作モード「通常モード」と制御内容「通常」とが対応付けられ、動作モード「グローブモード」と制御内容「一部省略」とが対応付けられている。これは、動作モードが通常モードに設定されている場合、制御部１４０が表示部１１０に表示させる画面の遷移は通常のものであることを示している。また、動作モードがグローブモードに設定されている場合、制御部１４０が表示部１１０に表示させる画面の遷移は一部が省略されたものであることを示している。具体的には、例えば、メニュー画面からメールのアイコンが選択されると、制御部１４０は、通常モード時には、次に、新規メール作成と受信メール一覧とのどちらを表示するかを選択する画面を表示するように制御するが、グローブモード時には、メニュー画面からメールのアイコンが選択されると、次に、受信メール一覧を表示するように制御する。このように、利用者が操作しにくいグローブモード時には、制御部１４０は、一部の表示を省略（スキップ）する。
【００４２】
また、制御項目「編集機能」に関して、動作モード「通常モード」と制御内容「有効」とが対応付けられ、動作モード「グローブモード」と制御内容「無効（表示のみ）」とが対応付けられている。これは、動作モードが通常モードに設定されている場合、データを編集する機能を起動すると、制御部１４０はデータ編集を可能に制御することを示している。また、動作モードがグローブモードに設定されている場合は、データを編集する機能を起動すると、データ編集は不可能（無効）となり、制御部１４０はデータの表示のみとするように制御することを示している。この詳細は、後述する。
【００４３】
なお、図２に示した制御項目は、制御部１４０が行う制御項目のうち、一部を例に挙げて示しているものであり、制御部１４０が行う他の制御項目についても、各動作モードに応じた制御内容がテーブル１５０にあらかじめ記憶されている。
【００４４】
以下に、図１に示した情報処理装置１００における情報処理方法について説明する。なお、ここでは、入力部１２０が、接触を検知するものである場合を例に挙げて説明する。
【００４５】
図３は、図１に示した情報処理装置１００における情報処理方法を説明するためのフローチャートである。
【００４６】
まず、ステップ１にて、入力部１２０は、接触を検知すると、接触体の抵抗値を測定し、その測定結果である抵抗値をモード設定部１３０へ出力する。
【００４７】
すると、モード設定部１３０は、入力部１２０から出力されてきた抵抗値と、あらかじめ設定された閾値とを比較する。そして、ステップ２にて、モード設定部１３０は、その比較結果に基づいて、情報処理装置１００の動作モードを、通常モードとグローブモードとのいずれか一方に設定する。例えば、モード設定部１３０は、入力部１２０から出力されてきた抵抗値が閾値以下である場合、情報処理装置１００の動作モードを通常モードに設定する。また、モード設定部１３０は、入力部１２０から出力されてきた抵抗値が閾値を超えているものである場合、情報処理装置１００の動作モードをグローブモードに設定する。モード設定部１３０は、設定した動作モードを制御部１４０へ通知する。
【００４８】
すると、ステップ３にて、制御部１４０は、モード設定部１３０から通知された動作モードに応じた制御内容をテーブル１５０から読み出す。
【００４９】
続いて、ステップ４にて、制御部１４０は、テーブル１５０から読み出した制御内容で制御を行う。例えば、表示に関する制御項目「表示サイズ」および「表示アイコンの数」を例に挙げると、通常モードでは、「表示サイズ」が「中」、「表示アイコンの数」が「中」と制御される。また、グローブモードでは、「表示サイズ」が「大」、「表示アイコンの数」が「少」と制御される。
【００５０】
図４は、通常モードが設定された状態で表示部１１０に表示されたメニュー画面の一例を示す図である。
【００５１】
また、図５は、グローブモードが設定された状態で表示部１１０に表示されたメニュー画面の一例を示す図である。
【００５２】
図４に示したメニュー画面と、図５に示したメニュー画面とを比較すると、図５に示したメニュー画面に表示されているアイコンのサイズは、図４に示したメニュー画面に表示されているアイコンのサイズよりも大きなものとなっている。また、図５に示したメニュー画面に表示されているアイコンの数は、図４に示したメニュー画面に表示されているアイコンの数よりも少ないものとなっている。
【００５３】
ここで、図４に示したメニュー画面に表示されているアイコンの数よりも、図５に示したメニュー画面に表示されているアイコンの数が少ないものとなっている。そのため、利用者がグローブモードで使用するときに、使用頻度の低い機能のアイコンを表示せず、使用頻度の高い機能のアイコンのみを表示するように制御する。グローブモード時に表示するアイコン（機能）は、外部からあらかじめ設定することが可能である。設定されたアイコンは、テーブル１５０に記憶される。
【００５４】
このように、制御部１４０は、モード設定部１３０が設定している動作モードに応じた操作画面を表示部１１０に表示させることが可能である。
【００５５】
これにより、グローブモード時に、表示するメニュー構成、表示アイコンの大きさや数を変えることで、手袋を装着している状態で、操作が困難となる正確なタッチ操作を、容易に行うことを可能とする。
【００５６】
また、上述したように、グローブモード時に表示画面の輝度を明るくすることで、手袋を装着していると推定される屋外において、周囲が明るい状態であっても、あるいはゴーグルやサングラスを装着している時であっても、表示画面を見やすくすることができる。
【００５７】
また、上述したように、グローブモード時に着信音量を大きくすることで、手袋を装着していると推定される屋外（例えば、スキー場等）において、耳あてを装着していることで、耳あてにより着信に気づかないことを防止することができる。
【００５８】
また、上述したように、グローブモード時にバイブレータの強度を強くすることで、手袋を装着して鈍感になった状態であっても、振動を感知することができる。
【００５９】
また、上述したように、グローブモード時に情報の入力方法を音声入力に設定することで、手袋を装着した状態で、タッチ操作では入力しにくい情報の正確な入力を行うことができる。
【００６０】
また、上述したように、グローブモード時に表示画面の遷移を一部省略することで、手袋を装着した状態で操作しにくいタッチ操作の回数を減らすことができる。
【００６１】
図６は、図１に示した情報処理装置１００における制御部１４０の詳細な構成の一例を示す図である。
【００６２】
図６に示すように、制御部１４０にはデータ機能１４１が設けられている。
【００６３】
データ機能１４１は、情報処理装置１００内部に記憶されているデータについて、外部からの入力に基づいて編集を行う機能、およびデータを表示部１１０に表示する機能を具備する。通常（通常モードが設定されている場合）、制御部１４０は、データ機能１４１を起動すると、データの編集機能およびデータの表示機能を実行する。
【００６４】
一方、制御部１４０は、モード設定部１３０が動作モードをグローブモードに設定している場合、データ機能１４１を起動すると、データの表示機能を実行する。
【００６５】
以下に、制御部１４０がデータ機能１４１を起動した場合の処理について説明する。
【００６６】
図７は、図６に示した制御部１４０がデータ機能１４１を起動した場合の処理を説明するためのフローチャートである。
【００６７】
まず、ステップ１１にて、制御部１４０がデータ機能１４１を起動したかどうかを判別する。
【００６８】
データ機能１４１を起動している場合、ステップ１２にて、制御部１４０は、モード設定部１３０が設定している動作モードが、グローブモードであるかどうかを判別する。
【００６９】
モード設定部１３０が設定している動作モードがグローブモードである場合、ステップ１３にて、制御部１４０は、データ機能１４１が具備している機能のうち、データの表示機能を実行する。
【００７０】
一方、モード設定部１３０が設定している動作モードがグローブモードではない場合、つまり、モード設定部１３０が設定している動作モードが通常モードである場合は、ステップ１４にて、制御部１４０は、データ機能１４１が具備しているデータの編集機能および表示機能を実行する。
【００７１】
このように、グローブモード時には、正確なタッチ操作が困難になるため、制御部１４０が表示機能だけを実行することで、誤入力による意図しない編集が行われてしまうことを防ぐことができる。
【００７２】
上述した情報処理装置１００に設けられた各構成要素が行う処理は、目的に応じてそれぞれ作製された論理回路で行うようにしても良い。また、処理内容を手順として記述したコンピュータプログラム（以下、プログラムと称する）を情報処理装置１００にて読取可能な記録媒体に記録し、この記録媒体に記録されたプログラムを情報処理装置１００に読み込ませ、実行するものであっても良い。情報処理装置１００にて読取可能な記録媒体とは、フロッピー（登録商標）ディスク、光磁気ディスク、ＤＶＤ、ＣＤなどの移設可能な記録媒体の他、情報処理装置１００に内蔵されたＲＯＭ、ＲＡＭ等のメモリやＨＤＤ等を指す。この記録媒体に記録されたプログラムは、情報処理装置１００に設けられた制御部１４０にて読み込まれ、制御部１４０の制御によって、上述したものと同様の処理が行われる。ここで、制御部１４０は、プログラムが記録された記録媒体から読み込まれたプログラムを実行するコンピュータとして動作するものである。
【００７３】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００７４】
この出願は、２０１１年１２月１９日に出願された日本出願特願２０１１−２７６９４１を基礎とする優先権を主張し、その開示の全てをここに取り込む。
【図１】
2013094624.tif 000003
【図２】
2013094624.tif 000004
【図３】
2013094624.tif 000005
【図４】
2013094624.tif 000006
【図５】
2013094624.tif 000007
【図６】
2013094624.tif 000008
【図７】
2013094624.tif 000009
【国際調査報告】
2013094624.tif 000010
2013094624.tif 000011
2013094624.tif 000012
2013094624.tif 000013